(57)【要約】【課題】  仙腸関節と股関節の機能的連鎖を外部から効果的に制御し、車椅子用乗車に適した骨盤から体躯の骨格ポジションを形成する車椅子用骨盤安定装着具の提供。【解決手段】  主として仙腸関節から腸骨及び股関節を覆い、伸縮性素材を用いてなる両端に係止手段を有する基本ベルトに、装着時、大腿骨大転子部位に当接する押圧パッドと、仙腸関節部位に当接する押圧突起を具備し、両端に係止手段を設けた構成とし、及び＼又は一部を該基本ベルトに縫着され該基本ベルトより伸縮率の高い素材を用いてなる補助バンドからなる。【選択図】図１
2009005812.tif 000002
【特許請求の範囲】
【請求項１】
主として仙腸関節から腸骨及び股関節を覆い、伸縮性素材を用いてなる基本ベルトに、装着時、大腿骨大転子部位に当接する押圧パッドと、仙腸関節部位に当接する押圧突起を具備し、両端に係止手段を設けてなることを特徴とする車椅子用骨盤安定装着具。
【請求項２】
主として仙腸関節から腸骨及び股関節を覆い伸縮性素材を用いてなる、両端に係止手段を有する基本ベルトと、一部が該基本ベルトに縫着され該基本ベルトより伸縮率の高い素材を用いてなる補助バンドからなる装着具であって、
前記基本ベルトは、
装着時、大腿骨大転子部位に当接する押圧パッドと、仙腸関節部位に当接する押圧突起をそれぞれ具備し、
前記補助バンドは、
中央部が前記基本ベルトと、該ベルト背側表面中央部で縫着され左右方向へ伸びて股関節から前方へ回して引き締める２本の大転子押圧補助バンド
と、
該補助バンド縫着部より上部に一端を縫着し左右下方向へ伸びて腸骨から前方へ回して引き締める２本の仙骨押圧補助バンド
であり、
前記大転子押圧補助バンドの両端と、前記各仙骨押圧補助バンドの他端には基本ベルトとの係止手段を有してなることを特徴とする車椅子用骨盤安定装着具。
【請求項３】
大転子補助バンドは、基本ベルト背側表面中央部から大転子部よりの箇所に一端を縫着し、左右方向へ伸びて股関節から前方へ回して引き締める２本の大転子押圧補助バンドであることを特徴とする請求項２に記載の車椅子用骨盤安定装着具。
【発明の詳細な説明】
【技術分野】
【０００１】
仙腸関節と左右股関節の３点をサポートし、骨格の機能的連鎖を制御し、関節の嵌合状態を適切に安定させることで骨盤全体の安定性を向上させ、車椅子乗車時、特に車椅子競技における乗車時に適した骨盤から体幹の骨格ポジションを形成する装着具を提供する。
【背景技術】
【０００２】
従来、腰部や臀部周囲に着用する骨盤矯正装着具の類は多数考案されている。その中で、座位状態を含み着用中のベルトのずり上がり防止を目的として着用安定性を向上させた骨盤矯正ベルトが提案されている（特許文献１参照。）。
【０００３】
また、腰部固定帯と骨盤固定帯により腰部への負担軽減及び体躯上部へのズレを防止することを目的としつつ、着用による日常生活での支障を軽減すべく外観形状を工夫した医療用コルセットが提案されている（特許文献２参照）。
【０００４】
一方、出願人が調査したところ、車椅子競技者らはハンディキャップの程度に合わせて市販の健常者用の腰痛ベルト等を自ら工夫して使用したり、車椅子と自らの身体を固定したりしているのが現状である。後者に関連する文献として、躯体の安定性を確保すべく車椅子に設けた複数のベルトで身体を固定する支持システムが提案されている（特許文献３）。
【特許文献１】特許第３５３０７８７号公報
【特許文献２】特開２００４−２０９０５０号公報
【特許文献３】米国特許５５６４７８６号和文抄録
【発明の開示】
【発明が解決しようとする課題】
【０００５】
特許文献１に係る発明は、ベルトのずり上がり防止を解決課題とすることから、腰部から臀部にかけての面積を広く確保すべく工夫等された骨盤矯正ベルトである。ここで該文献中、遠赤外線放射セラミックス等を担持させたシリコン等よりなる仙骨矯正ブロック２６が取り外し自在に設けられているところ、該ブロックは遠赤外線効果を得ることを目的とし、該ブロックの押圧により仙骨を矯正することを目的とするものではないと考えられる。実際、仙骨は腸骨とともに仙腸関節を形成するが、該関節は不動関節とも呼ばれており、該ブロック単体では、大凡押圧による矯正力はない。
【０００６】
また、特許文献２に係る発明は、腰部固定帯により腰部周辺を締め付けて腹腔内圧を上昇させることで脊椎や腰部への加重負担を軽減し、骨盤固定帯により骨盤全体の固定を図る従来の「医療用」コルセットの改良物である。同文献では、バリエーションとして腰背部にアルミニウムなどの金属を用いた補強板を設けたコルセットを提案する。
しかし、該発明によれば、「医療用」コルセットとしての着用性の向上は期待できるとしても、帯状体を人体腰回りに沿って単に巻き付けることにより、体幹軸方向へ均一に圧力をかけるという従来発想の域を出ていない。そこで、車椅子競技という座位での特殊な運動能力が求められる競技者らの骨盤矯正という観点に着目した更なる改良が望まれていた。
【０００７】
車椅子という座位での体の安定性確保という点においては、上記特許文献１及び特許文献２に開示された技術的思想による発想に留まらず、更に異なる視点に立った発想が必要となる。つまり、股関節と仙腸関節の骨格連鎖は二足歩行の際に必要な機能であるところ、座位においては、歩行時の踵に相当する部分、つまり体重を支える部分が座骨結節部分であることから、一定の可動角度を超える股関節と仙腸関節の骨格連鎖は骨盤全体の不安定性をもたらす要因となり、これを効果的に安定させるべく専門家による改良が待ち望まれていたのである。
【０００８】
また、特許文献３に係る発明は、通常の生活範囲内における座位状態の躯体安定性を確保することを目的とする。よって、該文献に記載の発明を、例えば車椅子バスケットボール競技者や、車椅子マラソン競技者が使用する車椅子に応用すると、躯体を必要以上に車椅子に固定することとなり、必要な動作の発揮が妨げられることとなる。
【０００９】
本発明は、上記先行技術及び現状の問題点に鑑み、本来の嵌合状態にあるか否かを考慮することなく、ただ広範囲に、また、単に二重三重に腰周りを締め付けるのではなく、主要関節部位の嵌合状態を考慮した上で、効果的に作用する装着具の開発が必須であるとの結論に至った。
【００１０】
そして、仙腸関節については本来の正しい嵌合状態へ誘導した後に該嵌合状態を安定させ、球関節である股関節については一定の押圧力を分散させることなく大転子部へかけることで該嵌合状態を安定させる、という両関節の安定性を同時に確保した上で脊柱を支持することにより車椅子競技における競技者らの躯体を安定させ、且つ、瞬間的に要求される上体運動が制限されない、車椅子用骨盤安定装着具を提供することを課題とする。
【課題を解決するための手段】
【００１１】
上記の課題を解決するために、本発明は次のように構成した。即ち、請求項１に記載の車椅子用骨盤安定装着具は、主として仙腸関節から腸骨及び股関節を覆い、伸縮性素材を用いてなる両端に係止手段を有する基本ベルトに、装着時、大腿骨大転子部位に当接する押圧パッドと、仙腸関節部位に当接する押圧突起を具備し、両端に係止手段を設けてなることを特徴とした。
【００１２】
また、請求項２に記載の車椅子用骨盤安定装着具は、主として仙腸関節から腸骨及び股関節を覆い伸縮性素材を用いてなる、両端に係止手段を有する基本ベルトと、一部が該基本ベルトに縫着され該基本ベルトより伸縮率の高い素材を用いてなる補助バンドからなる装着具とし、前記基本ベルトは、装着時、大腿骨大転子部位に当接する押圧パッドと、仙腸関節部位に当接する押圧突起をそれぞれ具備し、前記補助バンドは、中央部が前記基本ベルトと、該ベルト背側表面中央部で縫着され左右方向へ伸びて股関節から前方へ回して引き締める２本の大転子押圧補助バンドと、該補助バンド縫着部より上部に一端を縫着し左右下方向へ伸びて腸骨から前方へ回して引き締める２本の仙骨押圧補助バンドであり、前記大転子押圧補助バンドの両端と、前記各仙骨押圧補助バンドの他端には基本ベルトとの係止手段を有してなることを特徴とした。
【００１３】
また、請求項３に記載の車椅子用骨盤安定装着具は、請求項２に記載の構成において、大転子補助バンドを、基本ベルト背側表面中央部から大転子部よりの箇所に一端を縫着し、左右方向へ伸びて股関節から前方へ回して引き締める２本の大転子押圧補助バンドとしたことを特徴とした。
【発明の効果】
【００１４】
股関節（１２）は、寛骨臼と大腿骨頭よりなる球関節であり、大腿骨頭は半球を上回る球形で、寛骨臼は深く大腿骨頭を収納するように形成されている（図６）。
そこで、請求項１に記載の車椅子用骨盤安定装着具によれば、大転子押圧パッドにより押圧される力Ｐ１が分散することなく大腿骨大転子部へ直接作用し、前記寛骨臼と大腿骨頭とからなる股関節の嵌合状態を適切に安定させることが可能となる（図９）。
【００１５】
一方、仙骨（１０）は腸骨（９）と仙腸関節（１１）を形成する（図６）。該仙腸関節は一般に不動関節と呼ばれるが、実際には可動し、関節運動が行われる。座位においては、座骨結節部が体重を支える部分となることから該仙腸関節の関節運動に連動する股関節の、また、股関節の関節運動に連動する仙腸関節の相互骨格連鎖が腰の不安定性をもたらす。そこで、仙腸関節の嵌合状態を適切に安定させることが、骨盤全体の安定性を確保する必要条件の一つとなる。ここでいう「適切に」安定させるとは、仙腸関節を本来の嵌合状態に誘導した後に、安定させることをいう。
そこで、請求項１に記載の車椅子用骨盤安定装着具によれば、仙腸関節押圧突起により押圧される内方へ向けての力Ｐ２（図７）且つ、下方へ向けての力Ｐ２（図８、図１０）が、腹部側からの圧Ｐ３（図１０）とも相俟って、左右仙腸関節の上後腸骨棘から下後腸骨棘に至る部位に直接作用し、仙腸関節（１１）を本来の嵌合状態へ誘導した後に、安定させることとなる。この点、仮に不適切な嵌合状態であっても締め付けて固定するだけの従来技術とは大きく異なる。
【００１６】
以上、股関節と仙腸関節の嵌合状態が適切に安定する（図９、図１０）ことにより、仙腸関節と股関節の機能的連鎖が効果的に制御され、骨盤全体としての安定性を向上させる。これにより仙骨を土台とした頚椎、胸椎、腰椎からなる脊柱を支持し、車椅子競技における乗車時に適した骨盤から体幹の骨格ポジションを形成することが可能となる。
【００１７】
請求項２に記載の車椅子用骨盤安定装着具によれば、大転子押圧補助バンドが、前記大転子押圧パッドによる大転子への押圧力を、仙骨押圧補助バンドが、前記仙腸関節押圧突起による仙腸関節への押圧力を、夫々一層高めることとなり、上述の骨盤全体としての安定性を更に向上させることが可能となる。
【００１８】
請求項３に記載の車椅子用骨盤安定装着具によれば、左右両大転子押圧補助バンドの支点が、着用時左右両体側部、即ち、大転子近傍に位置することから、該補助バンドを引き締めた際の押圧力が左右大転子部に対してより直接的に作用する。このような構成により、上述の骨盤全体としての安定性を更により一層向上させることが可能となる。
【発明を実施するための最良の形態】
【００１９】
以下、本発明の車椅子用骨盤安定装着具を実現する最良の形態を、実施例１乃至実施例３に基づいて説明する。
【実施例１】
【００２０】
本発明の第一の実施例について、図１、図２、図６乃至図１０、図１３乃至図１５に基づき説明する。
図１は本実施例に係る本発明の裏面（体に接する面）構成を示す図、図２は本実施例に係る本発明の表面構成を示す図、図６は仙腸関節及び股関節の構造を示す説明図、図７は仙腸関節へ働く力の向きを示す平面視説明図、図８は仙腸関節へ働く力の向きを示す側面視説明図、図９は本発明と骨盤周辺との位置関係を示す説明図、図１０は本実施例に係る本発明を着用した座位横図、図１３は仙腸関節押圧突起部分を示す一部拡大説明図、図１４は仙腸関節押圧突起部分の変形例を示す一部拡大説明図、図１５は補助バンドを張着する状態を示す図である。
【００２１】
図中、１は基本ベルト、２は大転子押圧パッド、３は仙腸関節押圧突起、４１は雄面ファスナー、４２は雌面ファスナー、５は滑り止め、８は腰椎、９は腸骨、１０は仙骨、１１は仙腸関節、１２は股関節、１３は大転子、１４は大腿骨、１５は下後腸骨棘、１６は上後腸骨棘を示す。
【００２２】
基本ベルト１は、伸縮性素材を用いてなる帯状体であって、体前で両端相互を係止すべく面ファスナー４１、４２を設けてなる（図１、図２）。また、基本ベルト（１）はハニカム素材など、耐久性、通気性、通水性の良い素材が好ましい。
【００２３】
大転子押圧パッド（２）は、表面をシリコン樹脂加工して密着性を高めた平面状の肉厚のパッドであり、５ｃｍ〜１０ｃｍ径の円形状若しくは楕円形状とする。着用時に左右の大腿骨（１４）大転子（１３）部（図６）へ夫々当接する位置（図９）に２箇所配してなる（図１）。素材は巻圧によるある程度の押圧力に耐えうるものであれば、その他合成樹脂等であっても構わない。
【００２４】
また、着用者の体格等に合わせて該パッド（２）の位置を変更させるべく、該パッドを着脱移動可能な構成とし、該パッド裏面及び基本ベルト（１）の相当部分に面ファスナー等の係止手段を設ける（図示せず。）。
【００２５】
また、該大転子押圧パッド（２）は大転子部との密着性を高めるために、接触面を凹面形状に加工したものを用いても良い。
【００２６】
仙腸関節押圧突起（３）は、合成樹脂等を凸加工してなり、各突起部分の径は３ｃｍ〜７ｃｍとし、着用時に該突起部分が、左右上後腸骨棘（１６）から下後腸骨棘（１５）に至る部位（図６）に当接する位置（図９）に夫々２箇所配してなる（図１）。素材は巻圧によるある程度の押圧力に耐えうるものであれば、その他シリコン樹脂等を所定の方法で成型したものであっても構わない。
【００２７】
本実施例における仙腸関節押圧突起（３）は、上記径より若干大きい径を有する円形若しくは楕円形の合成樹脂等からなる板状体をプレス加工等で凸状に成型した。これによれば、該凸状体周囲に鍔状の突縁部が成型されることから、該突縁部を基本ベルト（１）の所定の位置へ縫着して固定することが可能となる（図１拡大部分参照。）。また、該凸状体裏面に同径若しくはそれ以上の径よりなる板状体を固着し、該板状体に雄面ファスナーを、そして基本ベルト（１）の背側裏面中央部に雌面ファスナーを係止手段として設けることで、該突起（３）を着脱可能な構成とすることも可能である。このような構成により、使用者に合わせて仙腸関節押圧突起（３）を所望の位置に合わせることができる。
一方、周知の射出成型法（加熱すると液体になる熱可塑性樹脂を金型に高圧で流し込み冷却硬化させる方法）等により周囲に鍔状の突縁部を有する凸状体若しくは凸状体のみを仙腸関節押圧突起（３）として得ることも可能である。前者による凸状体であれば、上記同様、該突縁部を基本ベルト（１）の所定の位置へ縫着して固定することが可能である（図１拡大部分参照。）。また、前者及び後者による凸状体であれば、該凸状体裏面に雄面ファスナーを、そして基本ベルト（１）の背側裏面中央部に雌面ファスナーを係止手段として設けることで、該突起（３）を着脱可能な構成とすることも可能である。このような構成により、使用者に合わせて仙腸関節押圧突起（３）を所望の位置に合わせることができる。
【００２８】
また、左右２つの仙腸関節押圧突起（３）を成型しうる大きさの合成樹脂等の板状体をプレス加工や射出成型法等で２つの凸状部を成型加工したものでも良い。この場合、１枚の板状体に２つの凸状部と周囲の平面部が成型され、該平面部周囲を基本ベルト（１）へ縫着して固定する（図１３）。
また、該仙腸関節押圧突起（３）の位置調整を可能とするために、前記平面部周囲の裏面に雄面ファスナー、そして基本ベルト（１）の背側裏面中央部に雌面ファスナー等の係止手段を設けることで、該突起（３）を着脱可能な構成としても良い。このような構成により、使用者に合わせて仙腸関節押圧突起（３）を所望の位置に合わせることができる。
【００２９】
着用時、該突起（３）が直接肌に触れることがないように、該突起（３）部分を伸縮性有する通気性素材からなる生地で覆う構成としても良い。
【００３０】
また、該突起（３）の形状は、押圧力Ｐ２が内方（図７）、且つ、下方（図８）へ作用する形状が好ましく、個々の突起の形状は正面視円形若しくは楕円形（図１３（ａ）（ｂ））の他、平面視矩形としても良い（図１４（ａ）（ｂ））。このような構成とすることで、該突起による押圧力がより効果的に仙腸関節へ作用することとなる。
【００３１】
前記大転子押圧パッド（２）、仙腸関節押圧突起（３）が、夫々所望の部位からズレないように、シリコンや合成樹脂等の素材からなる滑り止め（５）を基本ベルトに固着しても良い（図１）。
【００３２】
前記大転子押圧パッド（２）と仙腸関節押圧突起（３）の上下配置の落差は、１０ｃｍ程度が好ましい。
【００３３】
以下、上記構成による本発明に係る車椅子用骨盤安定装着具の装着方法及び作用を説明する。
まず、本発明に係る車椅子用骨盤安定装着具の基本ベルト（１）の仙腸関節押圧突起（３）を、着用者の仙腸関節（１１）の上後腸骨棘（１６）から下後腸骨棘（１５）に至る部位に当接する位置に当てた状態で（図６、図９）、所望の張力を保ったまま該基本ベルト（１）の両端を体前で面ファスナーにより係止する。このとき、前記大転子押圧パッド（２）が、左右の大腿骨大転子部位に当接するよう位置を合わせる（図９）。
【００３４】
このように装着することで、大転子押圧パッド（２）により押圧される力Ｐ１は、分散することなく大腿骨大転子部（図９）へ直接作用し、寛骨臼と大腿骨頭とからなる股関節の嵌合状態が安定する。
【００３５】
一方、２つの仙腸関節押圧突起（３）により押圧される内下方へ向けての力Ｐ２（図７、図８、図１０）は、腹部側からの圧Ｐ３（図１０）とも相俟って、左右仙腸関節の上後腸骨棘から下後腸骨棘に至る部位に直接作用し、仙腸関節（１１）を本来の嵌合状態に誘導した後に、安定させることとなる。
【００３６】
以上、股関節及び仙腸関節の夫々の嵌合状態が適切に安定することにより、仙腸関節と股関節の機能的連鎖を効果的に制御することが可能となり、骨盤全体としての安定性が向上し、仙骨を土台とした頚椎、胸椎、腰椎からなる脊柱を支持し、車椅子乗車に適した骨格ポジションを形成することが可能となる。
【実施例２】
【００３７】
本発明の第二の実施例について、図３、図４、図６乃図９、図１１、図１３乃至図１５に基づき説明する。
図３は本実施例に係る本発明の裏面構成を示す図、図４は本実施例に係る本発明の表面構成を示す図、図１１は本実施例に係る本発明を着用した座位横図であり、図６乃至図９、図１３乃至図１５は上記実施例１に記載の通りである。
【００３８】
図中、４２１、４２２は雄面ファスナー、６は大転子押圧補助バンド、７１、７２は仙腸関節押圧補助バンドを示し、その他の符合は上記実施例１と同一の対象を示す。  
【００３９】
また、基本ベルト（１）の表面構成において、両端に雌面ファスナー（４２）を設けた点（図４）で、上記実施例１とは異なる。
【００４０】
大転子押圧補助バンド（６）は、基本ベルト（１）より更に伸縮性に富んだ素材を用いてなる帯状体である。該補助バンド中央部を、基本ベルト（１）背側表面中央部に縫着し、両端には基本ベルト（１）との係止手段として雄面ファスナー（４２１）を設ける（図４）。本実施例においては、引っ張りによる作用点となる中央縫着部を両端部より幅広の構成とし、該補助バンド（６）の強度を確保した。
本実施例においては、該補助バンド（６）は一体の帯状体とするところ、左右別々に２本の補助バンドを基本ベルト（１）背側表面中央部に縫着することとしても良い。
【００４１】
仙腸関節押圧補助バンド（７１、７２）は、大転子押圧補助バンド（６）と同様、基本ベルト（１）より更に伸縮性に富んだ素材を用いてなる帯状体である。該補助バンド（７１、７２）の夫々一端を基本ベルト（１）背側表面中央部に、左右下方向へ延びるように角度を設けて縫着し、他端には基本ベルト（１）との係止手段として雄面ファスナー（４２２）を設ける（図４拡大部分参照。）。
【００４２】
その他の構成は、上記実施例１と同様である。
【００４３】
以下、上記構成による本発明に係る車椅子用骨盤安定装着具の装着方法及び作用を説明する。
本実施例における車椅子用骨盤安定装着具の基本ベルト（１）については、その装着方法は上記実施例１と同様である。本実施例に係る車椅子用骨盤安定装着具においては、大転子押圧補助バンド（６）、仙腸関節押圧補助バンド（７１、７２）を以下の要領で装着する。
【００４４】
まず、基本ベルト（１）の装着後、大転子押圧パッドが大腿骨大転子部に、そして、仙腸関節押圧突起が左右仙腸関節の上後腸骨棘から下後腸骨棘に至る部位に当たっているか、今一度確認する。  
確認後、大転子押圧補助バンド（６）の張力を利用して、これを引き延ばし、左右方向から股関節を覆い前方へ回して引き締め、所望の張力を保ったまま、両端を面ファスナーにより体前で基本ベルト（１）へ張着する（図１５）。
【００４５】
次に、仙腸関節押圧補助バンド（７１、７２）の張力を利用して、これを引き延ばし、左右下方向から腸骨前方へ回して引き締め、所望の張力を保ったまま、両端を面ファスナーにより体前で基本ベルト（１）へ張着する（図１５）。
【００４６】
本実施例によれば、大転子押圧補助バンド（６）の張力により、大転子押圧パッド（２）が押圧する力Ｐ１が分散されることなく、より強く大腿骨大転子部へ作用し、寛骨臼と大腿骨頭とからなる股関節の嵌合状態の安定をもたらす（図９、図１１）。
【００４７】
また、仙腸関節押圧補助バンド（７１、７２）の張力により、仙腸関節押圧突起（３）が押圧する内下方へ向けての力Ｐ２（図７、図８、図１０）が、腹部側からの圧Ｐ３（図１０）とも相俟って、左右仙腸関節の上後腸骨棘から下後腸骨棘に至る部位に、より強く作用し、仙腸関節（１１）を本来の嵌合状態に誘導した後に、安定させる（図９、図１１）ことが可能となる。
【００４８】
図１３、図１４に示した仙腸関節押圧突起の変形例は、当然に本実施例においても適用可能である。
【００４９】
以上、大転子押圧補助バンド（６）及び仙腸関節押圧補助バンド（７１、７２）を設けたことにより、股関節及び仙腸関節の夫々の嵌合状態が、より強く安定し、仙腸関節と股関節の機能的連鎖を効果的に制御することが可能となる。これにより、骨盤全体としての安定性が向上し、仙骨を土台とした頚椎、胸椎、腰椎からなる脊柱を支持し、車椅子乗車に適した骨格ポジションを形成することが可能となる。また、該補助バンドを別途設けたことで、上記更なる効果に加え、ハンディキャップの状態や、着用者の体格等に容易に合わせることも可能となり利便性が向上した。
【実施例３】
【００５０】
本発明の第三の実施例について、図３、図５、図９、図１２乃至図１５に基づき説明する。
図５は本実施例に係る本発明の表面構成を示す一部省略図であり、図１２は本実施例に係る本発明を着用した座位横図である。また、図３は上記実施例２に記載の、図９、図１２乃至図１５は上記実施例１に記載の通りである。
【００５１】
本実施例に係る車椅子用骨盤安定装着具は、上記実施例２の一部分を変形したものである。即ち、大転子押圧補助バンド（６１、６２）を２本別々の帯状体として構成し、且つ、基本ベルト（１）との縫着位置（ａ）を大転子部側に近づけたことを特徴とする（図５）。本実施例における本発明の裏面構成は図３に示す通りであり、上記実施例２と同様である。
【００５２】
装着方法は上記実施例２の場合と同じく、大転子押圧補助バンド（６１、６２）の張力を利用して、これを引き延ばし、左右方向から股関節を覆い前方へ回して引き締め、所望の張力を保ったまま、両端を面ファスナーにより体前で基本ベルト（１）へ張着する（図１５）。
【００５３】
本実施例における大転子押圧補助バンド（６１、６２）によれば、引き延ばしによる作用点（ａ）が大転子部に近くなることから（図１２）、大転子押圧パッド（２）が押圧する力Ｐ１（図９）が、より一層強く、分散されることなく大腿骨大転子部へ作用し、寛骨臼と大腿骨頭とからなる股関節の嵌合状態を更に安定させることとなる結果、骨盤全体としての安定性が確保され、車椅子用骨盤安定装着具全体としての効果が向上することとなる。
【００５４】
図１３、図１４に示した仙腸関節押圧突起の変形例は、当然に本実施例においても適用可能である。
【産業上の利用可能性】
【００５５】
本発明が、従来専用の装着具がなかった車椅子競技者らにとって有用な装着具であるばかりでなく、骨格の機能的連鎖を外部からコントロールするという本発明の解決課題の下、装着容易な帯状体という形状を利用し、所定位置に所望の凸状部等を設けることにより、運動機能に障害を抱える人のリハビリ用として、また、健常者にとっても骨格連鎖を制御して特定運動機能を鍛える等のための装着具として発展的に利用可能である。
【図面の簡単な説明】
【００５６】
【図１】第一の実施例に係る本発明の裏面構成を示す図
【図２】第一の実施例に係る本発明の表面構成を示す図
【図３】第二、三の実施例に係る本発明の裏面構成を示す図
【図４】第二の実施例に係る本発明の表面構成を示す図
【図５】第三の実施例に係る本発明の表面構成を示す一部省略図
【図６】仙腸関節及び股関節の構造を示す説明図
【図７】仙腸関節へ働く力の向きを示す平面視説明図
【図８】仙腸関節へ働く力の向きを示す側面視説明図
【図９】本発明と骨盤周辺との位置関係を示す説明図
【図１０】第一の実施例に係る本発明を着用した座位横図
【図１１】第二の実施例に係る本発明を着用した座位横図
【図１２】第三の実施例に係る本発明を着用した座位横図
【図１３】仙腸関節押圧突起部分を示す一部拡大説明図
【図１４】仙腸関節押圧突起部分の変形例を示す一部拡大説明図
【図１５】補助バンドを張着する状態を示す図
【符号の説明】
【００５７】
１  基本ベルト
２  大転子押圧パッド
３  仙腸関節押圧突起
４１、４２、４２１、４２２  面ファスナー
５  滑り止め
６、６１、６２  大転子押圧補助バンド
７１、７２  仙腸関節押圧補助バンド  
８  腰椎
９  腸骨  
１０  仙骨
１１  仙腸関節
１２  股関節
１３  大転子
１４  大腿骨
１５  下後腸骨棘
１６  上後腸骨棘
Ｐ    力の向き
【図１】
2009005812.tif 000003
【図２】
2009005812.tif 000004
【図３】
2009005812.tif 000005
【図４】
2009005812.tif 000006
【図５】
2009005812.tif 000007
【図６】
2009005812.tif 000008
【図７】
2009005812.tif 000009
【図８】
2009005812.tif 000010
【図９】
2009005812.tif 000011
【図１０】
2009005812.tif 000012
【図１１】
2009005812.tif 000013
【図１２】
2009005812.tif 000014
【図１３】
2009005812.tif 000015
【図１４】
2009005812.tif 000016
【図１５】
2009005812.tif 000017